(57)【要約】【課題】  太陽電池パネルを屋根に取り付けるために用いられるベース金具の構造、形状が違っていてもこれに係止でき、取付け工事の安全を期すことができる落下防止具を提供する。【解決手段】  屋根地材に固定されるベース金具に縦桟及び／又は横桟を組んでこれに太陽電池パネルを取り付ける屋根工事に使用する落下防止具であり、この落下防止具が、先端にベース金具に係止するフックが設けられて屋根上を勾配に沿って這うベース板と、ベース板の後部から起立して庇に沿って延びる落下防止材を保持する脚とからなることを特徴とする屋根工事用の落下防止具。【選択図】  図３
2008101341.tif 000002
【特許請求の範囲】
【請求項１】
屋根地材に固定されるベース金具に縦桟及び／又は横桟を組んでこれに太陽電池パネルを取り付ける屋根工事に使用する落下防止具であり、この落下防止具が、先端にベース金具に係止するフックが設けられて屋根上を勾配に沿って這うベース板と、ベース板の後部から起立して庇に沿って延びる落下防止材を保持する脚とからなることを特徴とする屋根工事用の落下防止具。
【請求項２】
ベース金具が種々の構造・形状をしているものであり、各ベース金具に係止できる係止構造が施されたフックが複数用意されており、これらのフックがベース板に対して取り換え可能に構成されている請求項１の屋根工事用の落下防止具。
【請求項３】
フックがベース板の先端に設けられた挿入筒に挿入して保持されるものであり、フックと挿入筒に特定の解錠操作をしなければ外れない安全機構が設けられている請求項２の屋根工事用の落下防止具。
【請求項４】
脚の上端に落下防止材を上方から受け入れて保持する保持具が設けられている請求項１〜３いずれかの屋根工事用の落下防止具。
【請求項５】
保持具が脚に上下に複数設けられている請求項４の屋根工事用の落下防止具。
【発明の詳細な説明】
【技術分野】
【０００１】
本発明は、屋根に太陽電池パネルを取り付ける工事の際に転落を防止する屋根工事用の落下防止具に関するものである。
【背景技術】
【０００２】
最近では、省エネを目的として、太陽熱を集熱してこれを電力に変換する太陽電池パネルを取り付けた家屋が増えている。太陽電池パネルの多くは、屋根に取り付けられるが、この工事は高所で作業しなければならず、非常に危険である。このため、安全策を講じる必要があるが、その方策として、家屋の周囲の地上に足場を組むことが行われている。しかし、この方法は、手間と経費がかかることから、敬遠されがちであり、実際は、注意しながらの作業となっているのが実情である。
【０００３】
屋根工事の安全を図る簡便な落下防止具として下記特許文献１に示されるものがある。この先行例のものは、瓦を止める屋根地の桟木等に係止するフックを取り付けたベースフレームに足場板を水平に渡す支持アームを設けるとともに、後端から脚を起立させてこの脚にパイプ材等を渡し掛けて転落のときの防止具としたものである。この点で、支持アームといった余分な部材を必要として構造が複雑になっている。また、フックの構造や形状は一様のものになっており、被係止部材が異なると対応できない。さらに、パイプ材は脚の上端に嵌め込むようになっており、操作が煩雑である。
【特許文献１】特開２００２−３４９０５９公報
【発明の開示】
【発明が解決しようとする課題】
【０００４】
本発明は、太陽電池パネルとその取付け工事の特有の形態に合わせ、簡便で安全な落下防止具を具現したものである。
【課題を解決するための手段】
【０００５】
以上の課題の下、本発明は、請求項１に記載した、屋根地材に固定されるベース金具に縦桟及び／又は横桟を組んでこれに太陽電池パネルを取り付ける屋根工事に使用する落下防止具であり、この落下防止具が、先端にベース金具に係止するフックが設けられて屋根上を勾配に沿って這うベース板と、ベース板の後部から起立して上端に庇に沿って延びる落下防止材を保持する脚とからなることを特徴とする屋根工事用の落下防止具を提供したものである。
【０００６】
これにおいて、本発明は、請求項２に記載した、ベース金具が種々の構造・形状をしているものであり、各ベース金具に係止できる係止構造が施されたフックが複数用意されており、これらのフックがベース板に対して取り換え可能に構成されている手段、請求項３に記載した、フックがベース板の先端に設けられた挿入筒に挿入して保持されるものであり、フックと挿入筒に特定の解錠操作をしなければ外れない安全機構が設けられている手段、請求項４に記載した、脚の上端に落下防止材を上方から受け入れて保持する保持具が設けられている手段、請求項５に記載した、保持具が脚に上下に複数設けられている手段を提供したものである。
【発明の効果】
【０００７】
請求項１の発明によると、屋根地材に固定されるベース金具に縦桟及び／又は横桟を取り付けてこれに太陽電池パネルを固定する太陽電池パネル特有の工事形態に対応できるものになる。これにおいて、落下防止具のベース板はベース金具に係止されるものであるから、確実に止まる。請求項２の手段によると、ベース金具の構造・形状が違うものにも対応できるし、請求項３の手段によると、フックの固定が確実になって安全である。この他、請求項４の手段によると、落下防止材の着脱が容易であるとともに、転落が確実に防止できる。また、請求項５の手段によると、転落防止がより完全になる。
【発明を実施するための最良の形態】
【０００８】
以下、本発明の実施の形態を図面を参照して説明する。図５は太陽電池パネルを屋根上に取り付けた場合の一部断面側面図、図６は正面図であるが、太陽電池パネルを取り付けるに際しては、まず、ベース金具１を屋根に固定する。本例のベース金具１は、支持部１ａ、起立部１ｂ及び接地部１ｃが略Ｚ状をしているものであり、これを屋根材（本例では瓦）２の上にクッションシート３を敷き、その上方の瓦２の下に差し込んでその下の野地板４、特に垂木５（以下、野地板４と垂木５を総称して屋根地材５という）を探してこれに接地部１ｃを沿わせ、ビスやネジといった固定具６で固定する。
【０００９】
そして、ベース金具１の支持部１ａで縦桟７をボルト等８で支持し、これに横桟９を同じくボルト等８で締めて固定する。なお、ベース金具１は、接地部１ｃを上方に、支持部１ａを下方に向けて瓦２に対して直角にセットする。本例では、縦桟７は溝形鋼を横に向けて取り付け、横桟９は幅の長い溝形鋼をうつ伏せにして取り付けており、さらに、横桟９の取付けは、縦桟７上に保持金具１０を固定し、これで横桟９を抱いて固定しているが、これらに限定されるものではない。ところで、これにおいて、ベース金具１は縦横とも所定のピッチで数多く固定され、これに伴って縦桟７、横桟９とも数多くのものが格子状に取り付けられる。
【００１０】
以上により、屋根上に縦桟７と横桟９が格子状に枠組みされるから、上方に存する横桟９に太陽電池パネル１１を取り付ける。図１１は太陽電池パネル１１を屋根上に取り付けた状態の斜視図であるが、このように、南向きの屋根のほとんどの部分に取り付けることになる。図１は本発明に係る落下防止具の一部断面側面図、図２は平面図であるが、この落下防止具１２は、先端（上方）にフック１３が取り付けられて屋根地材５の上に沿うベース板１４と、ベース板１４の後部（下部）から起立する脚１５とからなる。この場合のフック１３は、上記したベース金具１に係止する係止構造１６を有するものであり、本例では、ベース金具１の起立部１ｂを銜え込む係止溝１６ａが形成されたものである。
【００１１】
図４はフック１３でベース金具１を銜えた状態の平面図であるが、この場合の係止溝１６ａは、起立部１ｂの全幅を銜え込むようになっており、端部には後方に向かって延びる規制部１６ｂが形成されて外れないようになっている。ベース板１４から起立している脚１５は、先端側にやや傾けられて起立している。これは、ベース金具１に係止されたベース板１４は屋根材２の勾配に沿って這うものになるから、このとき、脚１５が垂直かやや下方に傾いて起立するようにしてベース板１４を屋根の下方側に位置させた場合でも、脚１５に取り付けられる後述する落下防止材が屋根から外れないようにしたものである。脚１５の高さは、腰の位置に付近に設定してあり、その上端には保持具１７が設けられており、この保持具１７でパイプ等の落下防止材１８を保持するようになっている。
【００１２】
ところで、この保持具１７は、脚１５の上端に固着されて上方が開口した溝状の下部材１７ａと、下部材１７ａと蝶番１７ｂで連結されて下部材１７ａに被される上部材１７ｃとからなるもので、下部材１７ａと上部材１７ｃとを蝶ボルト等の締結具１９で締め付けるものである。したがって、蝶ボルト１９をわずかに緩めると、上部材１７ｃが下部材１７ａから外れるから、上部材１７ｃは下部材１７ａに連結された状態で（分離することなく）蝶番１７ｂの部分で下方に回動させることができる。操作の迅速性を期したもので、パイプ１８を装填するときには、下部材１７ａの中にパイプ１８を上方から落とし込み、上部材１７ｃを被せた後に締結具１９を締めればよいことになる。
【００１３】
このようにするのは、高所での作業を考慮して安全で迅速に作業できることを期したものである。殊に、パイプ１８はある程度の長さのものを使用することになるから、これを一々保持具１７に差し通したりしていては、面倒で時間のかかるものになるからである。さらに、脚１５の中途に第二保持具２０を設けることもあり、こうすると、屈んで作業しているときの転落も防止できるものとなる。この第二保持２０も、パイプ１８が簡単に着脱できる必要があり、本例では、パイプ１８を上方から容易に落とし込めるポケット２０ａが形成されており、締込みボルト２１を締め込むと、その先端がパイプ１８の上方に至ってパイプ１８の抜けを防止するものとなっている。
【００１４】
以上の落下防止具１２は、ベース金具１の固定、縦桟７、横桟９の取付け及び太陽電池パネル１１の取付けにおいて使用される。したがって、落下防止具１２は、ベース金具１の縦の列又は適当間隔ごとに用意されており、ベース金具１を取付け域に割り出して横又は縦に一列状に固定するときに使用される。図３は落下防止具１２をベース金具１に係止した状態の側面図であるが、ベース金具１を横の列に何個か取り付けた際、各々にそのフック１３を係止構造１６で係止し、脚１５の上端の保持具１７に落下防止材１８を装填しておく。これにより、仮に作業中に滑っても、身体は落下防止材１８で受け止められて転落が防止される。
【００１５】
ベース金具１は、通常上から下に順に固定されて行くが、これに伴って落下防止具１２もフック１３を順次差し替えて下方に移動して行くことになる。なお、最下端のベース金具１を固定したとき、この位置で落下防止具１２を固定してもよい。これより、上方で作業をしていて滑ったような場合も、落下防止材１８で受け止めれて転落が避けられるからである。したがって、最初に最下端のベース金具１を固定し、これに落下防止具１２を取り付けた後、上方又は下方に作業を展開してもよく、これによると、落下防止具１２のセットが最初にでき、以後は位置を変えなくてもよくなる。ベース金具１の固定が終了すると、縦桟７と横桟９の固定及び太陽電池パネル１１の取付けへと作業は進むが、この場合も、落下防止具１２が転落を効果的に防止する。
【００１６】
ところで、屋根材２は瓦だけでなく、板状のルーフィングのようなものもあり、また、ベース金具１も、太陽電池パネル１１のメーカー等によってその構造・形状が異なる。このような場合でも、本発明に係る落下防止具１２は対応できるようになっており、具体的には、フック１３がベース板１４に対して交換できるようになっているのである。すなわち、ベース金具１の前部に挿入筒２２が設けられており、これにフック１３の後部１３ａが嵌合されるようになっている。そして、挿入筒２２の上面には蝶番２３で開閉できる蓋板２４が設けられており、蓋板２４の裏面にはピン２５が突設している。
【００１７】
一方、ピン２５の位置に相当する挿入筒２２及び後部１３ａの位置にそれぞれ孔２６、２７が形成されていて、蓋板２４を降ろしたときにはこのピン２５が各々の孔２６、２７に挿入されて外れが防止されるようになっている。そして、蓋板２４の後方にはアンロックボタン２８ａを押すとロックピン２８ｂが弾発的に後退するロック具２８が設けられており、ロックピン２８ｂを前進（施錠）させて蓋板２４の上に重合させてある。したがって、仮に蓋板２４が開こうとしても、それを規制する安全機構となっている。
【００１８】
図７は屋根材２にルーフィングを採用したものに使用されるベース金具２９の一部断面側面図、図８は背面図であるが、本例のベース金具２９は、上方が開口した溝形鋼であり、前方（上方）の基板部２９ａを固定具６で固定し、後方（下方）の取付部２９ｂの上面に取付金具３０によって横桟９を取り付け、これに太陽電池パネル１１の取り付けている（本例では縦桟７を省略している）。このようなベース金具２９が使用されている場合にはフック１３を交換することになる。具体的には、ロック具２８を解錠して蓋板２４を開き、フック１３を挿入筒２２から抜いて別のフック３１を差し込み、ロック具２８で施錠することになる。
【００１９】
図９はこの別のフック３１の平面図であるが、このフック３１の係止構造３２は、ベース金具２９の基板部２９ａの一方の壁に係止できる縦溝３２ａとしている。図１０は更に別のベース金具３３の側面図であるが、本例のものは、基板３３ａの上に基部３３ｂを有してネジ棒３３ｃが起立したものであり、基板３３ａの部分を固定具６で屋根地材５に固定するものである。そして、ネジ棒３３ｃに縦桟７又は横桟９を通して固定し、これに太陽電池パネル１１を取り付けるものである。この場合も、別のフックを交換することになり、その係止構造は、基部３３ｂ又はネジ棒３３ｃに嵌入する縦溝が形成されたものが考えられる（図示省略）。なお、上記した例の縦溝３２ａと本例の縦溝とは兼用できるものであるが、あまり寸法の違うものは好ましくないから、それぞれ別のものにする方が好ましい。
【図面の簡単な説明】
【００２０】
【図１】落下防止具の一部断面側面図である。
【図２】落下防止具の平面図である。
【図３】落下防止具をベース金具に係止した状態の側面図である。
【図４】フックでベース金具を銜えた状態の平面図である。
【図５】太陽電池パネルを屋根上に取り付けた状態の一部断面側面図である。
【図６】太陽電池パネルを屋根上に取り付けた状態の正面図である。
【図７】ベース金具の他の例を示す一部断面側面図である。
【図８】ベース金具の他の例を示す背面である。
【図９】フックの他の例を示す平面図である。
【図１０】ベース金具の更に別の例を示す側面図である。
【図１１】太陽電池パネルを屋根上に取り付けた状態の斜視図である。
【符号の説明】
【００２１】
１      ベース金具
１ａ          〃  の支持部
１ｂ          〃  の起立部
１ｃ          〃  の接地部
２      屋根材
３      クッションシート
４      野地板
５      垂木（屋根地材）
６      固定具
７      縦桟
８      ボルト等
９      横桟
１０    保持金具
１１    太陽電池パネル
１２    落下防止具
１３    フック
１３ａ    〃  の後部
１４    ベース板
１５    脚
１６    係止構造
１６ａ      〃  の係止溝
１６ｂ  規制部
１７    保持具
１７ａ  下部材
１７ｂ  蝶番
１７ｃ  上部材
１８    落下防止材（パイプ）
１９    締結具（蝶ボルト）
２０    第二保持具
２０ａ  ポケット
２１    締込みボルト
２２    挿入筒
２３    蝶番
２４    蓋板
２５    ピン
２６    孔
２７    孔
２８    ロック具
２８ａ  アンロックボタン
２８ｂ  ロックピン
２９    ベース金具
２９ａ  基板部
２９ｂ  取付部
３０    取付金具
３１    フック
３２    係止構造
３２ａ  縦溝
３３    ベース金具
３３ａ  基板
３３ｂ  基部
【図１】
2008101341.tif 000003
【図２】
2008101341.tif 000004
【図３】
2008101341.tif 000005
【図４】
2008101341.tif 000006
【図５】
2008101341.tif 000007
【図６】
2008101341.tif 000008
【図７】
2008101341.tif 000009
【図８】
2008101341.tif 000010
【図９】
2008101341.tif 000011
【図１０】
2008101341.tif 000012
【図１１】
2008101341.tif 000013